(57)【要約】【課題】ボイスコイルモータを構成するコイルを、磁気ディスクの回転に伴う風を利用して、そのコイルの振動を抑制しつつ冷却することができる情報記憶装置を提供する。【解決手段】筐体１０１に収納されて回転する磁気ディスク１０３と、情報記録及び情報再生を行なう磁気ヘッド１０４を先端で保持し、回動軸回りに回動して磁気ディスク１０３のディスク面に沿って磁気ヘッド１０４を移動させるキャリッジアーム１０６と、キャリッジアーム１０６の後端に固定されたコイル１１２とそのコイル１１２に磁界を作用させる永久磁石１１３と、コイル１１２に対し、磁気ディスク１０３の回転で発生する風の上流側に隣り合って位置し、コイル１１２が巻き回されている面内に広がった、上記風の流れをコイル１１２に沿う流れに整える整流板１０８とを備えた。【選択図】        図２
2010009694.tif 000002
【特許請求の範囲】
【請求項１】
筐体と、
前記筐体内に収納された、情報が記録される、ディスク形状を有しディスク面に沿って回転することで該筐体内に風を発生させる記録媒体と、
前記記録媒体に対する情報記録及び又は情報再生を行うヘッドと、
前記ヘッドを先端に保持し回動軸に保持された、該回動軸回りに回動することで該ヘッドを前記記録媒体のディスク面に沿って移動させるアームと、
前記回動軸を挟んで前記先端側とは逆側で前記アームに固定された、該アームの回動面に沿った面内で巻き回された、電流が供給されるコイルと、
前記コイルに磁界を作用させる磁石と、
前記コイルに対し、前記記録媒体の回転で発生する風の上流側に隣り合って位置し、該コイルが巻き回されている面内に広がった、該風の流れを該コイルに沿う流れに整える整流板とを備えたことを特徴とする情報記憶装置。
【請求項２】
前記整流板よりも更に前記風の上流側に位置し、該風の向きを該整流板及び前記コイルへと向けるガイドを備えたことを特徴とする請求項１記載の情報記憶装置。
【発明の詳細な説明】
【技術分野】
【０００１】
本発明は、記録媒体を内蔵し、その記録媒体に対して情報の記録及び再生を行う情報記憶装置に関する。
【背景技術】
【０００２】
コンピュータの分野では、日常的に多量の情報が取り扱われるようになっており、このような多量の情報を記録再生する情報記憶装置の１つとして、ハードディスク装置（ＨＤＤ：Ｈａｒｄ  Ｄｉｓｋ  Ｄｒｉｖｅ）が使用されている。ＨＤＤは記録容量が大きく情報へのアクセス速度が速いという特徴を持ち、一般に、ディスク形状の記録媒体である磁気ディスク、およびこの磁気ディスクに対する情報記録や情報再生を行う磁気ヘッドを備えている。
【０００３】
ここで、一般的なＨＤＤは、磁気ヘッドを先端に保持し回動軸に保持され、その回動軸回りに回動することで磁気ヘッドを磁気ディスクのディスク面に沿って移動させるアームを備えており、そのアームの回動によって磁気ディスクに対する磁気ヘッドの位置決めを行うという構造を有している。さらに、ＨＤＤでは、このアームの回動は、いわゆるボイスコイルモータによって行われる（例えば、特許文献１参照）。このボイスコイルモータは、所定の磁界中に配置されたコイルに電流を流したときにそのコイルに働く力を、駆動対象物である上記のアームを動かすための駆動力として利用するものであり、アームにおける、上記の回動軸を挟んだ、磁気ヘッド側とは反対側の後端には、ボイスコイルモータを構成するコイルが固定されている。
【０００４】
ボイスコイルモータを構成するコイルでは、アームを動かすために電流が流されることによる熱が発生する。このコイルに発生する熱は、コイル自体の電気抵抗を上昇させてコイルに流れる電流を減少させてしまう等といった不具合の原因となるので、ＨＤＤでは、ボイスコイルモータを構成するコイルが、このＨＤＤの動作中に冷却される必要がある。
【０００５】
一般的に、ＨＤＤの内部では、磁気ディスクの回転に伴って風が発生する。そこで、ＨＤＤの多くでは、この磁気ディスクの回転に伴う風が、ボイスコイルモータを構成するコイルを冷却するために利用されている（例えば、特許文献２参照）。
【特許文献１】特開平５−２８７４２号公報
【特許文献２】特開２００１−１１０１５１号公報
【発明の開示】
【発明が解決しようとする課題】
【０００６】
しかしながら、上記のようにボイスコイルモータを構成するコイルを冷却するための風が、しばしばコイルを振動させ、延いては、そのコイルが固定されたアームを振動させてしまうことがある。アームにこのような振動が発生してしまうと、そのアームの先端に保持されている磁気ヘッドが振動してしまい、その磁気ヘッドによる情報記録や情報再生に支障が生じる恐れがある。かといって、このような振動の発生を防ぐために、例えば磁気ディスクの回転に伴う風からコイルを遮蔽する等といったことを行うと風によるコイルの冷却ができなくなるので新たな冷却手段が必要となってしまう。
【０００７】
本件は、上記事情に鑑み、ボイスコイルモータを構成するコイルを、磁気ディスクの回転に伴う風を利用して、そのコイルの振動を抑制しつつ冷却することができる情報記憶装置を提供することを目的とする。
【課題を解決するための手段】
【０００８】
上記目的を達成する情報記憶装置の基本形態は、
筐体と、
上記筐体内に収納された、情報が記録される、ディスク形状を有しディスク面に沿って回転することでその筐体内に風を発生させる記録媒体と、
上記記録媒体に対する情報記録及び又は情報再生を行うヘッドと、
上記ヘッドを先端に保持し回動軸に保持された、その回動軸回りに回動することでそのヘッドを上記記録媒体のディスク面に沿って移動させるアームと、
上記回動軸を挟んで上記先端側とは逆側で上記アームに固定された、そのアームの回動面に沿った面内で巻き回された、電流が供給されるコイルと、
上記コイルに磁界を作用させる磁石と、
上記コイルに対し、上記記録媒体の回転で発生する風の上流側に隣り合って位置し、そのコイルが巻き回されている面内に広がった、その風の流れをそのコイルに沿う流れに整える整流板とを備えたことを特徴とする。
【０００９】
この情報記憶装置の基本形態では、上記コイルと上記磁石とによっていわゆるボイスコイルモータが形成されており、その磁石による磁界中で電流が供給されたコイルに働く力によって、そのコイルが、上記アームが回動する方向に駆動される。ここで、この情報記憶装置の基本形態によれば、上記コイルが、上記記録媒体の回転に伴って発生する風によって冷却される。このとき、この情報記憶装置の基本形態によれば、この冷却のための風の流れが、上記整流板によって上記コイルに沿う流れに整流される。これにより、上記コイルの振動、延いては上記磁気ヘッドを先端に保持するアームの振動の原因となる風の乱流が抑制され、このようなアームの振動が抑えられることとなる。つまり、この情報記憶装置の基本形態によれば、ボイスコイルモータを構成するコイルを、記録媒体の回転に伴う風を利用して、そのコイルの振動を抑制しつつ冷却することができる。
【発明の効果】
【００１０】
以上、説明したように、本件によれば、ボイスコイルモータを構成するコイルを、磁気ディスクの回転に伴う風を利用して、そのコイルの振動を抑制しつつ冷却することができる情報記憶装置を得ることができる。
【発明を実施するための最良の形態】
【００１１】
以下、上記で基本形態について説明した情報記憶装置の具体的な実施形態について、図面を参照して説明する。
【００１２】
図１は、情報記憶装置の具体的な実施形態であるハードディスク装置（ＨＤＤ）を示す図である。
【００１３】
この図１に示すＨＤＤ１００には、まず、筐体１０１と、その筐体に収納され、図示しないディスクコントロールモータによって、回転軸１０２を中心に矢印Ａ方向に回転駆動される磁気ディスク１０３とが備えられている。また、このＨＤＤ１００には、磁気ディスク１０３に対向する磁気ヘッド１０４を先端に備え、回動軸１０５を中心に回動するキャリッジアーム１０６と、そのキャリッジアーム１０６を回動させることで磁気ヘッド１０４を磁気ディスク１０３のディスク面に沿って移動させるボイスコイルモータ１１０が備えられている。ここで、筐体１０１、磁気ディスク１０３、磁気ヘッド１０４、およびキャリッジアーム１０６は、それぞれ上述の情報記憶装置の基本形態における筐体、記録媒体、ヘッド、およびアームの各一例に相当する。
【００１４】
このＨＤＤ１００では、磁気ディスク１０３への情報の記録、あるいは磁気ディスク１０３からの情報の再生に当たっては、ディスクコントロールモータによって磁気ディスク１０３が回転駆動されている状態においてボイスコイルモータ１１０によってキャリッジアーム１０６が回動される。この回動により、そのキャリッジアーム１０６の先端の磁気ヘッド１０４が、磁気ディスク１０３のディスク面に沿って移動される。このような磁気ヘッド１０４の移動によって、磁気ヘッド１０４の、磁気ディスク１０３に対する位置決めが行われる。そして、そのように位置決めされた磁気ヘッド１０４によって、その磁気ディスク１０３の回転に伴って順次に情報が記録され、あるいは記録済みの情報が再生される。
【００１５】
ボイスコイルモータ１１０は、キャリッジアーム１０６の、磁気ヘッド１０４を保持した先端に対する、上記の回動軸１０５を挟んだ後端に固定された後述のコイルと、そのコイルに所定の磁界を印加する磁石とを有し、このコイルに電流の供給を受けたときにこのコイルに働く力でキャリッジアーム１０６を回動させるものである。
【００１６】
図２は、図１のボイスコイルモータの内部構造を示す図である。
【００１７】
この図２では、図１のボイスコイルモータの内部構造が見えるように、図１には示されている、ボイスコイルモータ１１０の上面カバー１１１が取り外された状態で、ＨＤＤ１００が示されている。
【００１８】
この図２に示すように、ボイスコイルモータ１１０は、キャリッジアーム１０６の後端に固定されたコイル１１２を備えている。このコイル１１２は、キャリッジアーム１０６の回動面に沿った面内で巻き回されており、このコイル１１２の筐体１０１の底側に配置された永久磁石１１３と、図１に示す上面カバー１１１側に配置された不図示の永久磁石とで挟まれている。そして、筐体１０１の底側の永久磁石１１３は、筐体１０１の底に取り付けられた下面カバー１１４に固定されており、上面カバー１１１側の永久磁石は、その上面カバー１１１に固定されている。このような構造により、コイル１１２は、そのコイル１１２を挟む２つの永久磁石によって磁界が常時印加されることとなる。また、上面カバー１１１および下面カバー１１４のそれぞれは高透磁率材料で形成されており、上記の磁界の磁力線が通過するヨークの役割を果たしている。
【００１９】
このような構造を有するボイスコイルモータ１１０のコイル１１２に電流が流されると、コイル１１２に力が働いて図中の矢印Ｂが示す方向にコイル１１２が動き、その結果、キャリッジアーム１０６が図中の矢印Ｃが示すように回動して磁気ヘッド１０４が磁気ディスク１０３のディスク面に沿って移動されることとなる。
【００２０】
以上に説明したボイスコイルモータ１１０のコイル１１２、および、そのコイル１１２を挟んで磁界を作用させる２つの永久磁石は、それぞれ上述の基本形態におけるコイルおよび磁石の各一例に相当する。
【００２１】
このとき、ボイスコイルモータ１１０のコイル１１２には、電流が流されることによる熱が発生する。このコイル１１２に発生する熱は、コイル１１２自体の電気抵抗を上昇させてコイル１１２に流れる電流を減少させてしまう等といった不具合の原因となるので、このコイル１１２が適宜に冷却される必要がある。
【００２２】
ここで、このＨＤＤ１００では、磁気ディスク１０３の回転に伴って矢印Ｄが示す方向に発生した風が、筐体１０１の内部を循環して流れており、この風が、ボイスコイルモータ１１０のコイル１１２の冷却に利用されている。このため、このＨＤＤ１００では、図１に示すこのボイスコイルモータ１１０の上面カバー１１１に、筐体１０１の内部を流れる風が、ボイスコイルモータ１１０の内部へと進入するための開口が設けられている。これにより、磁気ディスク１０３の回転に伴って発生した風が、図２中の矢印Ｅが示すように流れてボイスコイルモータ１１０のコイル１１２に吹きつけて、そのコイル１１２が適宜に冷却されることとなる。
【００２３】
さらに、このＨＤＤ１００では、コイル１１２に対する冷却効果を高めるべく、筐体１０１に、上記の風の向きをボイスコイルモータ１１０のコイル１１２へと向けるガイド１０７が設けられている。これにより、磁気ディスク１０３の回転に伴って発生した風のうち、コイル１１２へと向かう風が増えて、そのコイル１１２に対する冷却効果が高められている。
【００２４】
このとき、このボイスコイルモータ１１０のコイル１１２に吹きつける風に、仮に乱流等が生じてしまったとすると、その風がコイル１１２を振動させ、延いては、そのコイル１１２が固定され先端に磁気ヘッド１０４を保持しているキャリッジアーム１０６を振動させてしまうことがある。キャリッジアーム１０６にこのような振動が発生してしまうと、磁気ヘッド１０４による磁気ディスク１０３への情報の記録や再生に支障が生じる恐れがあり問題である。
【００２５】
そこで、本実施形態では、ボイスコイルモータ１１０のコイル１１２へと向かう風の流れをそのコイル１１２に沿う流れに整流する整流板１０８が、そのコイル１１２に対する風の上流側で、上記のガイド１０７に対する下流側に配置されている。
【００２６】
この整流板１０８は、ボイスコイルモータ１１０のコイル１１２に隣り合って位置し、このコイル１１２が巻き回されている面内に広がる板であり、本実施形態では、このコイル１１２の厚みと同じ厚みを有している。
【００２７】
この整流板１０８が、上述の基本形態における整流板の一例に相当する。
【００２８】
ここで、この基本形態に対し、
「上記整流板よりも更に上記風の上流側に位置し、その風の向きをその整流板及び上記コイルへと向けるガイドを備えた」という応用形態は好適である。
【００２９】
この好適な応用形態によれば、上記ガイドによって、一層多くの風を上記コイルに当てることができ、そのコイルに対する冷却効果を高めることができる。さらに、この好適な応用形態によれば、上記ガイドが上記整流板よりも更に上記風の上流側に位置していることで、コイルの振動の抑制を妨げることなく冷却効果を高めることができる。
【００３０】
本実施形態では、図２のガイド１０７が、上記の整流板１０８よりも更に上記の風の上流側に位置しており、この応用形態におけるガイドの一例に相当している。
【００３１】
以下、上記の整流板１０８の整流作用によるコイル１１２の振動に対する抑制について説明する。
【００３２】
図３は、整流板が無いと仮定したときにボイスコイルモータのコイルに振動が生じる様子を示す模式図であり、図４は、本実施形態の整流板によってボイスコイルモータのコイルに吹き付ける風が整流されてコイルの振動が抑制される様子を示す模式図である。
【００３３】
これらの図３および図４には、ボイスコイルモータ１１０における、キャリッジアーム１０６の長手方向に沿った模式的な断面図が示されている。さらに、図３および図４には、図２では不図示であったボイスコイルモータ１１０の上面カバー１１１と、その上面カバー１１１に固定された永久磁石１１５とが示されている。
【００３４】
図２のガイド１０７によってボイスコイルモータ１１０のコイル１１２へと導かれた風は、本実施形態における整流板１０８が無いと仮定したときには、図３に示すように、コイル１１２や、このコイル１１２を挟む２つの永久磁石１１３，１１５に当たって乱流となる恐れがある。そして、その乱流となった風Ｗ１がコイル１１２に吹き付けることでコイルに振動が生じてしまう。
【００３５】
これに対し、本実施形態では、コイル１１２へと導かれた風の流れが、整流板１０８によってコイル１１２に沿う流れに整流され、コイル１１２の図中の上側の風Ｗ２＿１と下側の風Ｗ２＿３とに分けられて、各々の風が、コイル１１２の上側と下側とに整然と吹きつけることとなる。これにより、上記の乱流の発生が抑制され、コイル１１２、延いてはキャリッジアーム１０６の振動が抑えられた状態で、コイル１１２が冷却されることとなる。
【００３６】
以上、説明したように、本実施形態のＨＤＤ１００によれば、ボイスコイルモータ１１０を構成するコイル１１２を、磁気ディスク１０３の回転に伴う風を利用して、そのコイル１１２の振動を抑制しつつ冷却することができる。
【００３７】
尚、上記では、上記の情報記憶装置の基本形態における整流板の一例として、ボイスコイルモータを構成するコイルの厚みと同じ厚みを有する整流板１０８を例示したが、この基本形態における整流板はこれに限るものではなく、この基本形態における整流板は、例えば、ボイスコイルモータを構成するコイルの厚みよりも薄い厚みを有するものであっても良く、あるいは、逆に、コイルの厚みよりも厚い厚みを有するものであっても良い。
【図面の簡単な説明】
【００３８】
【図１】情報記憶装置の具体的な実施形態であるハードディスク装置（ＨＤＤ）を示す図である。
【図２】図１のボイスコイルモータの内部構造を示す図である。
【図３】整流板が無いと仮定したときにボイスコイルモータのコイルに振動が生じる様子を示す模式図である。
【図４】本実施形態の整流板によってボイスコイルモータのコイルに吹き付ける風が整流されてコイルの振動が抑制される様子を示す模式図である。
【符号の説明】
【００３９】
１００    ＨＤＤ
１０１    筐体
１０２    回転軸
１０３    磁気ディスク
１０４    磁気ヘッド
１０５    回動軸
１０６    キャリッジアーム
１０７    ガイド
１０８    整流板
１１０    ボイスコイルモータ
１１１    上面カバー
１１２    コイル
１１３，１１５    永久磁石
１１４    下面カバー
【図１】
2010009694.tif 000003
【図２】
2010009694.tif 000004
【図３】
2010009694.tif 000005
【図４】
2010009694.tif 000006